(57)【特許請求の範囲】
【請求項１】
所定の形状に形成した舗装ブロックの裏面に複数の嵌合孔を設け、この嵌合孔に、外方に開口する係合孔を有する凹部材を嵌合固定し、この凹部材の係合孔に、弾性材からなるレベル調整部材の脚部を係合してなる舗装ブロックを、基盤上に多数配列し、その表面高さレベルをレベル調整部材の押し込み係止位置の調整によって調整するとともに所定の目地間隙を有するように敷設し、隣接する舗装ブロック間で形成された目地間隙から、充填材を基盤上面と舗装ブロックの裏面との間および目地間隙部分に充填して固化させ、舗装ブロックと基盤とを一体化することを特徴とする舗装ブロックの敷設方法。
【請求項２】
所定の形状に形成したブロックの裏面に、複数の嵌合孔を設け、この嵌合孔に、外方に開口する係合孔を有する凹部材を嵌合固定し、この凹部材の係合孔に、この係合孔との係合によって外面が縮径される弾性材からなる脚もしくは弾性材からなる分割した脚を有するレベル調整部材を係合したことを特徴とする舗装ブロック。
【請求項３】
所定の形状に形成したブロックの裏面に、複数の嵌合孔を設け、この嵌合孔に、外方に開口する係合孔を有し中心部に突起を備えた凹部材を嵌合し、この凹部材の係合孔に、突起との係合によって拡径する係合孔を形成し前記凹部材の内面に外面が押圧される弾性材からなる脚もしくは弾性材からなる分割した脚を備えた、レベル調整部材を係合したことを特徴とする舗装ブロック。
【請求項４】
ブロックの隣接する２つの側面に目地間隙を形成する目地スペーサーを設けたことを特徴とする請求項２または請求項３記載の舗装ブロック。
【発明の詳細な説明】
【０００１】
【発明の属する技術分野】
本発明は、車道、歩道あるいはその他の空間を、所定の形状の天然石や人工石等の敷石、コンクリートブロック、レンガ等を用いて舗装する場合に適用される舗装ブロックの敷設方法と、この方法に用いられる舗装ブロックに関するものである。
【０００２】
【従来の技術】
従来、例えば道路を、天然石敷石を用いて舗装する場合の敷石の敷設方法としては、例えば図１０に示すように、路盤ａ上に砕石路盤ｂを形成し、その上にコンクリート層ｃを打ち、さらに空練りモルタルｄを敷いてから敷石ｅを敷設し、敷石間に最終的に目地ｆを施す敷設方法が知られている。
しかしこの方法では、敷石の配置や表面高さレベル調整、目地間隔の調整等にかなりの労力を要し、相当な経験を有する者であってもかなりの手間を要し時間当りの敷設面積は少ない。
また、敷設に際しては、路盤に砕石路盤を形成し、あるいはその上にコンクリート層を打って基盤とし、さらにその基盤上に空練りモルタルなどを敷いてから敷石を敷設し、この敷石間に最終的に目地を施す等、多くの敷設工程を必要としており、敷設に長時間を要するという問題がある。
【０００３】
このため、敷石の敷設の効率化を図るため、例えば実開昭５０−８９１２３号公報や実開平１−１２４８０４号公報に記載される考案等、多くの提案が成されており、部分的に改善が進んではいるが、加工コスト面で問題がある。
【０００４】
また、敷石を簡易整地された凹凸あるいは傾斜の残る地盤上に直接敷設して敷設工程の省略を図る場合において、地盤上に配列された多数の敷石の表面を所定のレベルに揃えることは容易ではなく、熟練とかなりの手間を要するため敷設に長時間を要するという問題がある。
【０００５】
このような問題を解決するためのものとして、特開平６−３０６８０９号公報には、平板ブロックをレベル調整機構を介して敷設した後に平板ブロック下側の隙間にモルタルを流し込み、硬化させて隙間を充填する中間層を形成する平板ブロックを用いた舗装方法が提案されている。
この舗装方法でのレベル調整機構は、ボルト・ナットと平板ブロックを載置する受片で構成されており、予めボルトあるいはナットを回転させてナット下のボルト長さを調整してレベル調整を行うため、微小な高さ調整や迅速なレベル調整を行うことが困難なものである。
【０００６】
さらに実開平７−１２５０１号公報には、敷石裏面にスベリ止め部材を固定し、側面にスペーサーを突出して目地間隔を形成する天然石敷石が開示されている。しかしこの敷石の敷設に際しても表面高さレベルの調整に手間を要する。
【０００７】
【発明が解決しようとする課題】
本発明は、所定の形状の敷石やコンクリートブロック等（以下「ブロック」と称する）を舗装ブロックとして用いる場合に、基盤上面と舗装ブロックの裏面間の間隙を容易にかつ確実に調整保持でき、熟練者でなくても舗装ブロックの表面の平坦性が容易に得られるとともに、敷設工程および敷設時間の短縮により敷設コストを低減できる、舗装ブロックの敷設方法と、この敷設方法を実施するために用いられる舗装ブロックを提供するものである。
【０００８】
【課題を解決するための手段】
本発明の第１の発明は、所定の形状に形成したブロックの裏面に複数の嵌合孔を設け、この嵌合孔に、外方に開口する係合孔を有する凹部材を嵌合固定し、この凹部材の係合孔に、弾性材からなるレベル調整部材の脚部を係合してなる舗装ブロックを基盤上に多数配列し、その表面高さレベルをレベル調整部材の押し込み係止位置の調整によって調整するとともに所定の目地間隙を有するように敷設し、隣接する舗装ブロック間で形成された目地間隙から、充填材を基盤上面と舗装ブロックの裏面との間および目地間隙部分に充填して固化させ、舗装ブロックと基盤とを一体化することを特徴とする舗装ブロックの敷設方法である。
【０００９】
第２の発明と第３の発明と第４の発明は、第１の発明を実施するための舗装ブロックの例として位置付けされるものであり、第２の発明は、所定の形状に形成したブロックの裏面に、複数の嵌合孔を設け、この嵌合孔に、外方に開口する係合孔を有する凹部材を嵌合固定し、この凹部材の係合孔に、この係合孔との係合によって外面が縮径される弾性材からなる脚もしくは弾性材からなる分割した脚を有するレベル調整部材を係合したことを特徴とする。
【００１０】
第３の発明は、所定の形状に形成したブロックの裏面に、複数の嵌合孔を設け、この嵌合孔に、中心部に突起を備えかつ外方に開口する係合孔を有する凹部材を嵌合し、この凹部材の係合孔に、突起との係合によって拡径する係合孔を形成し前記凹部材の内面に外面が押圧される弾性材からなる脚もしくは弾性材からなる分割した脚を備えた、レベル調整部材を係合したことを特徴とする。
【００１１】
また、第４の発明は、第２の発明または第３の発明において、所定の形状に形成したブロックの隣接する少なくとも２面に目地間隙を形成する目地スペーサーを設けたことを特徴とするものである。
【００１２】
【発明の実施の形態】
本発明においては、弾性材からなる表面レベル調整部材を係合した舗装ブロックを、整地した基盤上に多数配列し、この多数の舗装ブロックの表面レベルを、予め舗装ブロックに組み込まれたレベル調整部材の押し込み（打ち込み）によって調整するとともに、予め舗装ブロックに設けられた目地スペーサーにより、舗装ブロック相互間の間隙を所定の目地間隔に調整して目地を形成し、この目地間隙および基盤と舗装ブロックの下面間の間隙に充填材を充填して固化させ、舗装ブロック相互間および基盤と舗装ブロックとを一体化させて、ブロックによる舗装を容易に構築可能とする。
【００１３】
すなわち、基盤上に予め舗装ブロックに組み込まれた所定の目地間隔を形成するための目地スペーサーによって隣り合う舗装ブロック相互間の目地間隔を保ちつつ舗装ブロックを並べ、その後、予め舗装ブロックに組み込まれたレベル調整部材を押し込んで調整することにより、舗装ブロックの上面高さを容易にかつ確実に調整して揃えることができる。
【００１４】
その後、基盤上面と舗装ブロック下面との間隙および隣り合う舗装ブロック相互間に形成された間隙に、目地間隙から充填材を充填して固化させることにより、基盤上に舗装ブロックを確実に固定して舗装ブロックによる舗装を構築することができる。
この際、レベル調整部材は基盤に圧着するため、施工時に舗装ブロックが動くことのないように、すべり止めの役割も果たす。
また、舗装ブロック自体はかなりの重量を有しているが、本発明の敷設方法によれば、作業員の舗装ブロック据付け技術の熟達度に関係なく極めて簡易に舗装ブロックを敷設できるとともに、前記従来の流しモルタルによる敷設方法に比べ、目地間隙から充填材を充填するだけでよいので、敷設工程の簡略化および敷設時間の短縮が可能になり、敷設コストを低減することができる。
【００１５】
本発明では、舗装ブロックの裏面の嵌合孔と凹部材占の嵌合、凹部材の係合孔とレベル調整部材の脚部との係合、凹部材の突起とレベル調整部材の係合孔との係合があるが、これらの嵌合や係合位置を所定位置に調整し、舗装ブロックを多数並べた後、充填材の充填作業時などに容易にずれてしまうようでは、舗装ブロックの表面高さレベル調整精度が低下することになるので、充填作業等の外力で容易にずれることがないように、嵌合面、係合面に摩擦抵抗を大きくする凹凸を形成し、さらに必要があれば摩擦抵抗を高めるための粘性材や接着材を塗布(凹凸との併用を含む)することも有効である。
また、基盤と接するレベル調整部材に適宜凹凸を形成して、基盤上面とのずれ止め効果を持たせることも有効である。
【００１６】
ここで、舗装ブロックによる舗装を構築する場合の基盤は、例えばコンクリート舗装、アスファルト舗装などが最適であるが、アスファルト安定処理路盤または砕石路盤のいずれであってもよい。また、公園等の遊歩道、サイクリング道、広場や建物の玄関、さらには建築物の土間やコンクリート床であってもよいことは勿論のこと、従来の敷石敷設法で形成する基盤であってもよい。
【００１７】
本発明で用いる充填材は、流し込みにより充填されるものであり、充填の際には流動性を有し、充填作業性の良好なものであって、充填後には固化して強度と結合性を有するものがよい。
充填材の種類としては、例えば、セメントミルク、セメントモルタルなどが好適である。しかし、充填材はこれらに限ることなく、セメントペースト、エポキシ樹脂、ポリエステル樹脂、ウレタン樹脂およびこれらの樹脂をベースとする混合物などのいずれかから選択してもよい。
【００１８】
凹部材、スペーサーの材料としては、軽量で弾力性があり、安価に得られる各種の樹脂材あるいは樹脂材をベースとするものが好適であるが、これに限らず、上記の特性を有するものであれば特に限定しない。
【００１９】
舗装ブロックの裏面の嵌合孔には、凹部材を予め嵌合しておき、凹部材には人力で押し込みによって可能であるレベル調整部材を係合する。また、敷設後のレベル調整部材の押し込みによるレベルの調整は、舗装ブロック表面での木槌による打ち込みやレべリングローラーの転圧等によって行うことができる。
レベル調整部材の数と配列は、舗装ブロックの形状に応じて決めるが、レベル調整部材による舗装ブロックの支持を安定させて、レベルの調整、基盤との間の間隙の調整および目地間隙の調整を確かなものにするためには、通常の場合、３〜４個で規則配列にすることが好ましいが、前記目的が達成できればよく、数と配列はこれに限定するものではない。
【００２０】
以上のように、本発明では各種の舗装ブロックを対象に敷設するが、特に加工が難しく、重量の大きい天然石敷石に好適である。
【００２１】
【実施例】
以下に本発明を図に示す実施例に基づいて詳細に説明する。
図１および図２は、第１の発明により、舗装ブロックとして天然石敷石を用いて、道路の舗装を行う場合の実施例を示している。
本発明の敷石の敷設に当たっては、基盤である路盤１に、隣接する側面の少なくとも２面に目地スペーサー７を設けた、例えば長方形状の天然石敷石２を、スペーサー７で目地間隙ａを形成して複数配列する。
ここで目地スペーサー７の材質は、ゴムあるいはプラスチックなどの弾性を有する素材を使用した。しかし、これに限るものではなく、舗装ブロックを敷並べたときに、相隣り合う敷石間に必要な目地間隙を形成できるように目地スペーサーが突出していればよい。
この天然石敷石２の裏面には嵌合孔２ｈを設けており、これに凹部材３が圧入嵌合される。凹部材３には、レベル調整部材４が、天然石敷石２を支持し、かつ充填作業により天然石敷石２がずれることのないように保持できるだけの係合（係止）力で押し込み係合されている。
【００２２】
複数配列に敷設した各天然石敷石２のレベルを、天然石敷石の上面から力を加えて各レベル調整部材４の押し込み位置を調整し、敷石表面を所定レベルＬに調整して、相隣り合う天然石敷石２の間の目地間隙ａに連通する敷石と路盤との間の間隙（以下「目地間隙ｂ」と称する）を形成して、目地間隙ａに充填装置５により充填材６を注入し、相隣り合う敷石間の目地間隙ａと敷石と路盤との間の目地間隙ｂに充填材を充填する。
このようにして、間隙ａおよびｂに充填材６を充填装置５によって注入、充填させ、かつ固化させて充填目地６ｃとし、各天然石敷石２間および地盤１と各天然石敷石２間を一体化することができ、図２に示すように、広場や道路８等の基盤１上に天然石敷石２からなる舗装ブロックを用いた天然石敷石舗装を構築することができる。
【００２３】
天然石敷石２の構造例を図３〜図９に基づいて詳細に説明する。
本発明の天然石敷石２は、例えば図３に示すように隣接する側面の少なくとも２面に目地スペーサー７を有し、裏面に設けた例えば３個の嵌合孔２ｈに凹部材３を圧入等の手段で嵌合し、この凹部材３にレベル調整部材４を係合する構造を有している。
【００２４】
図４〜図６に示すように、嵌合孔２ｈには、外方に拡径して開口する係合孔９を有し、切欠き１０によって複数の分割脚１１を形成した凹部材３を嵌合固定し、この凹部材３の係合孔９には、切欠き１２によって複数の分割脚１３を形成すると共に、この係合孔９との係合によって外面が縮径する弾性材からなるレベル調整部材４を係合する。
【００２５】
そして、この分割脚１３は、図４（ａ）の状態から図４（ｂ）に示すようにレベル調整部材４のフランジ部４ａの下端面が、天然石敷石２の嵌合孔２ｈに天然石敷石２の裏面レベルよりわずかに突出するか一致するようになるまで押し込むことができ、分割脚１３を強制縮径させることにより、レベル調整部材４で天然石敷石２を支持し、充填作業により天然石敷石２の係合孔９と分割脚１３の圧着部分がずれることがないように保持できるだけの係合（係止）力を確保することができる。分割脚１３の押し込みは木槌などを用いた人力による押込力によって適宜の深さに調整することにより、舗装ブロックからなる舗装路面の平坦性を容易に確保することができる。
【００２６】
ここでは、図５および図６に示すように凹部材３の外面あるいは凹部材３と係合するレベル調整部材４の外面の何れかまたは両方に凹凸１４を形成し、嵌合面、係合面の摩擦抵抗を大きくして、嵌合、係合（係止）力を強化し、レベル調整部材４による天然石敷石２のレベルの調整後の位置ずれの発生を防止できるようにしているが、この凹凸は必要に応じて設ければよい。
【００２７】
なお、凹部材３の切欠き１０による分割脚１１は、嵌合孔２ｈへの圧入嵌合を容易とし、強制変形させ所要の嵌合力を容易に確保するために設けたものであるが、必ずしも分割する必要はなく、図５（ｂ）のように分割のない脚１１ａとしてもよい。
また、レベル調整部材４にスリット状の切欠き１２による分割脚１３を設けたのは、凹部材３への押し込み係合を容易とするとともに、天然石敷石を支持し、かつ充填材６の充填作業により天然石敷石２の位置がずれることがないように保持できるだけの所要の係合（係止）力の確保を容易にするためであり、これも必要に応じて設ければよく、図６（ｂ）のように分割のない脚１３ａとしてもよい。
また、レベル調整部材４の底部にフランジ部４ａを設けたのは、路盤１中に過度にめり込まないで路盤１に安定支持されるようにするためである。
【００２８】
本発明の別の実施例では、図７〜図９に示すように、所定の形状に形成した天然石敷石２の裏面に設けた嵌合孔２ｈに、外方に拡径して開口する係合孔９を有し、切欠き１５によって複数の分割脚１６を形成するとともに中心部に円錐状の突起１７を備えた凹部材１８を圧入嵌合し、この凹部材の係合孔９に、切欠き１９によって複数分割され、かつ、凹部材１８の突起１７との係合によって拡径する拡縮係合孔２０を形成する弾性材からなる分割脚２１を備えた、レベル調整部材２２を係合する。
【００２９】
分割脚２１の外面は、拡縮係合孔２０が凹部材１８の突起１７との押し込み係合によって拡径したとき凹部材１８の内面に押圧され、天然石敷石２を支持し、かつ充填材６の充填作業により天然石敷石２がずれることがないように保持できるだけの係合（係止）力を容易に確保することができる。
凹部材１８の突起１７は、テーパー面を有する円錐や角錐等の錐状に形成することが好ましい。しかし、これに限定するものではなく、レベル調整部材２２の拡縮係合孔２０を拡径できる構造であれば形状は問わない。
【００３０】
凹部材１８の外面と、凹部材１８と係合するレベル調整部材２２の外面には、凹凸１４を形成し、嵌合面、係合面の摩擦抵抗を大きくして、嵌合、係合力を強化して目地スペーサーによる天然石敷石２のレベルの調整後の位置ずれの発生を防止できるようにしている。ただしこの凹凸は必要に応じて設ければよい。
なお、凹部材１８およびレベル調整部材２２に切欠きを設けて分割脚１６，２１としたのは、前記実施例（図５，６）の場合と同様の理由によるものであって、必ずしも分割する必要はなく、図５（ｂ），図６（ｂ）のように分割のない脚としてもよい。
【００３１】
また、レベル調整部材２２の底部をフランジ状４ａにしたのは、路盤中に過度にめり込まないで路盤に安定支持されるようにするためであるが、これも必要に応じて設ければよい。
本発明は、上記の例に限定されるものではない。例えば、本発明の適用場所、基盤の種類、舗装ブロックの種類、舗装ブロックの凹部材、凹部材の凹凸、レベル調整部材の形状あるいはこれらの構造等については、請求項１〜４を満足する範囲内で適時変更できるものである。
【００３２】
【発明の効果】
本発明においては、基盤上に舗装ブロックを並べて、その舗装ブロック上面の平坦性と目地間隙を容易にかつ確実に調整できる。すなわち、舗装ブロックの上面レベルをレベル調整部材によって容易に揃えるとともに、所定の目地間隙を形成して敷設でき、充填材の充填を容易かつ確実に行うことができる。
その結果、舗装ブロックを基盤上に強固に一体化して固定することができる。また、天然石敷石自体はかなりの重量を有しているが、作業員の舗装ブロックの据付け技術の熟達度に関係なく極めて容易に敷設作業の実施が可能となり、敷設工程を簡略化して敷設時間を短縮できるため、敷設コストを低減することができる。
【図面の簡単な説明】
【図１】本発明の舗装ブロックの敷設方法の実施例を示す縦断面説明図。
【図２】本発明の舗装ブロックの敷設方法で得られる道路の立体説明図。
【図３】本発明の舗装ブロックの敷設方法で用いられる舗装ブロック例で裏面に配設のレベル調整部材の配置例を示す平面説明図。
【図４】本発明の舗装ブロック例としての天然石敷石の構造例を示す縦断面説明図で、（ａ）図はレベル調整部材の押し込み初期の状態を示し、（ｂ）図はレベル調整部材の押し込み終期の状態を示す。
【図５】図４に示す天然石敷石の構造例で用いられる凹部材の立体説明図。
【図６】図４に示す天然石敷石の構造例で用いられるレベル調整部材の立体説明図。
【図７】本発明の天然石敷石の他の構造例を示す縦断面説明図。
【図８】図７に示す天然石敷石の構造例で用いられる凹部材の立体説明図。
【図９】図７に示す天然石敷石の構造例で用いられるレベル調整部材の立体説明図。
【図１０】従来の敷石の敷設例を示す断面説明図。
【符号の説明】
１  ：基盤（路盤）
２  ：舗装ブロック（天然石敷石）
２ｈ：嵌合孔
３  ：凹部材
４  ：レベル調整部材
５  ：充填装置
６  ：充填材
６ｃ：充填目地（充填材が充填され固化したもの）
７  ：目地スペーサー
８  ：道路
９  ：係合孔
１０  ：切欠き
１１  ：分割脚
１１ａ：脚
１２  ：切欠き
１３  ：分割脚
１３ａ：脚
１４  ：凹凸
１５  ：切欠き
１６  ：分割脚
１７  ：突起
１８  ：凹部材
１９  ：切欠き
２０  ：拡縮係合孔
２１  ：分割脚
２２  ：レベル調整部材
【図１】
0003839544.tif 000002
【図２】
0003839544.tif 000003
【図３】
0003839544.tif 000004
【図４】
0003839544.tif 000005
【図５】
0003839544.tif 000006
【図６】
0003839544.tif 000007
【図７】
0003839544.tif 000008
【図８】
0003839544.tif 000009
【図９】
0003839544.tif 000010
【図１０】
0003839544.tif 000011